(57)【要約】【課題】コントロールロッドをニュートラル位置に容易かつ確実に位置決めできるニュートラル位置決め機構を備えた多段変速機を供する。【解決手段】変速駆動機構(50)のコントロールロッド(51)が中空に形成された歯車軸(12)の中空中心軸(Z)上を軸方向に移動することにより係合切換機構(20)が駆動されて変速を行うリターン式の多段変速機(10)において、コントロールロッド(51)の外周に凹部(51v)が形成され、歯車軸(12)の端部内周に係止部材(81)が径方向に移動自在にかつ径方向中心側に付勢力が作用するように設けられ、コントロールロッド(51)がニュートラル位置にあるときに、係止部材(81)がコントロールロッド(51)の外周凹溝(51v)に一部進退可能となるニュートラル位置決め機構(80)を備えた多段変速機。【選択図】図２２
2013204598.tif 000002
【特許請求の範囲】
【請求項１】
互いに平行な歯車軸(11,12)にそれぞれ複数の駆動歯車(m)と被動歯車(n)が変速段毎に常時噛み合い状態で軸支され、
前記駆動歯車(m)と前記被動歯車(n)の一方の複数の歯車(m)が歯車軸(11)に固定され、他方の複数の歯車(n)と歯車軸(12)との間で歯車軸(12)と各歯車(n)の係合を歯車ごとに切り換える係合切換機構(20)が備えられ、
変速駆動機構(50)のコントロールロッド(51)が中空に形成された歯車軸(12)の中空中心軸(Z)上を軸方向に移動することにより前記係合切換機構(20)が駆動されて変速を行うリターン式の多段変速機(10)において、
前記コントロールロッド(51)の外周に凹部(51v)が形成され、
前記歯車軸(12)の内周に係止部材(81)が径方向に移動自在にかつ径方向中心側に付勢力が作用するように設けられ、
前記コントロールロッド(51)がニュートラル位置にあるときに、前記係止部材(81)が前記コントロールロッド(51)の前記凹部(51v)に一部進退可能となるニュートラル位置決め機構(80)を備えたことを特徴とする多段変速機。
【請求項２】
前記コントロールロッド(51)の前記凹部(51v)が軸方向に長尺に形成され、前記コントロールロッド(51)が１速位置からニュートラル位置までの間にあるときに、前記係止部材(81)が前記凹部(51v)に一部進退可能となることを特徴とする請求項１記載の多段変速機。
【請求項３】
前記ニュートラル位置決め機構(80)は、
前記歯車軸(12)の内周に前記コントロールロッド(51)が挿入される挿入穴(85h)が形成された円筒部材(85)が固着され、
前記円筒部材(85)の前記挿入穴(85h)の周囲の周壁に周方向に等間隔に少なくとも３本の案内孔(86)が前記挿入穴(85h)から放射方向に穿孔され、
前記係止部材(81)が前記案内孔(86)に案内されて移動自在に挿入され、
前記コントロールロッド(51)が１速位置からニュートラル位置までの間にあるときに、前記コントロールロッド(51)の前記凹部(51v)が前記円筒部材(85)の前記挿入穴(85h)に挿入されて、前記案内孔(86)の前記挿入穴(85h)への内側開口(86i)が前記凹部(51v)に臨むように構成されていることを特徴とする請求項２記載の多段変速機。
【請求項４】
前記円筒部材(85)の前記案内孔(86)は、前記コントロールロッド(51)の前記挿入穴(85h)への挿入方向に対して鋭角の傾斜角度を有した方向に指向して穿孔されていることを特徴とする請求項３記載の多段変速機。
【請求項５】
前記円筒部材(85)は、前記歯車軸(12)の前記係合切換機構(20)より軸方向外側の内周に固着され、
前記コントロールロッド(51)の前記凹部(51v)は、前記コントロールロッド(51)の端部近傍に周方向に溝条に形成されることを特徴とする請求項３または請求項４記載の多段変速機。
【請求項６】
前記コントロールロッド(51)における前記凹部(51v)が近傍にある側の先端部(51e)は、円錐状に尖ったテーパ面(51et)が形成されていることを特徴とする請求項５記載の多段変速機。
【請求項７】
前記係止部材(81)は球体をなし、
前記円筒部材(85)における前記案内孔(86)の前記挿入穴(85h)への内側開口(86i)は、内径が縮径されていることを特徴とする請求項５または請求項６記載の多段変速機。
【請求項８】
前記円筒部材(85)の前記案内孔(86)に移動自在に挿入される前記係止部材(81)に、径方向内側に付勢力が作用するように、ばね部材(90)が前記案内孔(86)に挿入されることを特徴とする請求項３ないし請求項７のいずれか１項記載の多段変速機。
【発明の詳細な説明】
【技術分野】
【０００１】
本発明は、歯車軸に回転自在に軸支され、係合手段により回転自在の歯車のうち歯車軸に係合する歯車を切り換えることで変速を行う多段変速機に関する。
【背景技術】
【０００２】
この種の常時噛合い式の多段変速機であって、歯車軸内を軸方向に移動するコントロールロッドが係合手段を作動して歯車軸に係合する歯車を切り換えることができるようにしたリターン式の多段変速機が、同じ出願人によって出願されている（例えば、特許文献１等参照）。
【先行技術文献】
【特許文献】
【０００３】
【特許文献１】特開２０１０−７８０５０号公報
【０００４】
特許文献１に開示された多段変速機は、歯車軸の中空中心軸に配設されるコントロールロッドがシフトドラムの回転により軸方向所要位置に移動され、同コントロールロッドが歯車軸の中空内周面に軸方向に移動自在に摺接するカムロッドをロストモーション機構を介して摺動し、複数のカム溝が軸方向所要箇所に形成されたカム面を有するカムロッドが所要位置に摺動することで、同摺動位置でカム溝に落ち込んだピン部材により作動した揺動爪部材が対応する歯車を歯車軸と係合して、１つの変速段を確立する。
【発明の概要】
【発明が解決しようとする課題】
【０００５】
一回の変速操作によりシフトドラムが所定量回転してコントロールロッドを所要位置に移動するが、変速段の１つが確立するときは、その対応するピン部材がカムロッドのカム溝に係合するので、ロストモーション機構を介して連動するコントロールロッドの移動が抑制されて位置決めがなされる。
しかし、コントロールロッドがニュートラル位置にあるときは、全てのピン部材がカムロッドのカム溝に係合せずにカム面に接しているだけであるので、ピン部材によりコントロールロッドをニュートラル位置に位置決めして安定させることができない。
【０００６】
変速方式が１速からニュートラルを経て２速，３速，４速，…の順にシフトアップし、逆の順序でシフトダウンするリターン式の場合、走行を停止して１速からニュートラルに入れる際、コントロールロッドをその他の変速のときより小さく移動させて２速位置手前のニュートラル位置で停止させる必要がある。
【０００７】
例えば、足のペダル操作により刻み送り機構を介して変速段の切換え動作がなされるリターン方式の変速装置においては、刻み送り機構に備えられたディテント機構により各変速段の状態を位置決めし安定して保持できるようにしているが、加速時に１速から２速に円滑に変速できるように、ニュートラル位置の位置決めは安定保持力を弱くしている。
【０００８】
そのため、ペダル操作でニュートラルに入れる場合、１速から軽くシフトペダルをかき上げてニュートラル位置に停止させるところを、ペダル操作の加減を誤って、安定度が弱いニュートラル位置を飛び越して２速に入ってしまうことがあった。
【０００９】
本発明は、かかる点に鑑みなされたもので、その目的とする処は、コントロールロッドをニュートラル位置に容易かつ確実に位置決めできるニュートラル位置決め機構を備えた多段変速機を供する点にある。
【課題を解決するための手段】
【００１０】
上記目的を達成するために、請求項１記載の発明は、
互いに平行な歯車軸(11,12)にそれぞれ複数の駆動歯車(m)と被動歯車(n)が変速段毎に常時噛み合い状態で軸支され、
前記駆動歯車(m)と前記被動歯車(n)の一方の複数の歯車(m)が歯車軸(11)に固定され、他方の複数の歯車(n)と歯車軸(12)との間で歯車軸(12)と各歯車(n)の係合を歯車ごとに切り換える係合切換機構(20)が備えられ、
変速駆動機構(50)のコントロールロッド(51)が中空に形成された歯車軸(12)の中空中心軸(Z)上を軸方向に移動することにより前記係合切換機構(20)が駆動されて変速を行うリターン式の多段変速機(10)において、
前記コントロールロッド(51)の外周に凹部(51v)が形成され、
前記歯車軸(12)の内周に係止部材(81)が径方向に移動自在にかつ径方向中心側に付勢力が作用するように設けられ、
前記コントロールロッド(51)がニュートラル位置にあるときに、前記係止部材(81)が前記コントロールロッド(51)の前記凹部(51v)に一部進退可能となるニュートラル位置決め機構(80)を備えたことを特徴とする多段変速機である。
【００１１】
請求項２記載の発明は、
請求項１記載の多段変速機において、
前記コントロールロッド(51)の前記凹部(51v)が軸方向に長尺に形成され、前記コントロールロッド(51)が１速位置からニュートラル位置までの間にあるときに、前記係止部材(81)が前記凹部(51v)に一部進退可能となることを特徴とする。
【００１２】
請求項３記載の発明は、
請求項２記載の多段変速機において、
前記ニュートラル位置決め機構(80)は、
前記歯車軸(12)の内周に前記コントロールロッド(51)が挿入される挿入穴(85h)が形成された円筒部材(85)が固着され、
前記円筒部材(85)の前記挿入穴(85h)の周囲の周壁に周方向に等間隔に少なくとも３本の案内孔(86)が前記挿入穴(85h)から放射方向に穿孔され、
前記係止部材(81)が前記案内孔(86)に案内されて移動自在に挿入され、
前記コントロールロッド(51)が１速位置からニュートラル位置までの間にあるときに、前記コントロールロッド(51)の前記凹部(51v)が前記円筒部材(85)の前記挿入穴(85h)に挿入されて、前記案内孔(86)の前記挿入穴(85h)への内側開口(86i)が前記凹部(51v)に臨むように構成されていることを特徴とする。
【００１３】
請求項４記載の発明は、
請求項３記載の多段変速機において、
前記円筒部材(85)の前記案内孔(86)は、前記コントロールロッド(51)の前記挿入穴(85h)への挿入方向に対して鋭角の傾斜角度を有した方向に指向して穿孔されていることを特徴とする。
【００１４】
請求項５記載の発明は、
請求項３または請求項４記載の多段変速機において、
前記円筒部材(85)は、前記歯車軸(12)の前記係合切換機構(20)より軸方向外側の内周に固着され、
前記コントロールロッド(51)の前記凹部(51v)は、前記コントロールロッド(51)の端部近傍に周方向に溝条に形成されることを特徴とする。
【００１５】
請求項６記載の発明は、
請求項５記載の多段変速機において、
前記コントロールロッド(51)における前記凹部(51v)が近傍にある側の先端部(51e)は、円錐状に尖ったテーパ面(51et)が形成されていることを特徴とする。
【００１６】
請求項７記載の発明は、
請求項５または請求項６記載の多段変速機において、
前記係止部材(81)は球体をなし、
前記円筒部材(85)における前記案内孔(86)の前記挿入穴(85h)への内側開口(86i)は、内径が縮径さていることを特徴とする。
【００１７】
請求項８記載の発明は、
請求項３ないし請求項７のいずれか１項記載の多段変速機において、
前記円筒部材(85)の前記案内孔(86)に移動自在に挿入される前記係止部材(81)に、径方向内側に付勢力が作用するように、ばね部材(90)が前記案内孔(86)に挿入されることを特徴とする。
【発明の効果】
【００１８】
請求項１記載の多段変速機によれば、歯車軸(12)の端部内周に径方向に移動自在にかつ径方向中心側に付勢力が作用するように設けられた係止部材(81)が、コントロールロッド(51)がニュートラル位置にあるときに、コントロールロッド(51)の凹部(51v)に一部進退可能となるニュートラル位置決め機構(80)を備えるので、走行を停止するとき、歯車軸(12)の回転が停止して、コントロールロッド(51)が１速位置からニュートラル位置に移動すると、歯車軸(12)の端部内周に径方向に移動自在に設けられた係止部材(81)が重力等の付勢力によりコントロールロッド(51)の凹部(51v)に一部進入することで、係止部材(81)によりコントロールロッド(51)が係止されて移動が規制されてニュートラル位置に容易かつ確実に位置決めされる。
【００１９】
走行を開始して歯車軸(12)が回転すると、係止部材(81)は付勢力に抗して遠心力により径方向外側に移動してコントロールロッド(51)の凹部(51v)から抜けて係止解除状態にあるので、コントロールロッド(51)は１速位置からニュートラル位置を経て２速位置へ円滑に移動してシフトアップが容易に行われ、同様に、２速位置からニュートラル位置を経て１速位置への移動も円滑でシフトダウンも容易に行われる。
【００２０】
請求項２記載の多段変速機によれば、コントロールロッド(51)の凹部(51v)が軸方向に長尺に形成され、前記コントロールロッド(51)が１速位置からニュートラル位置までの間にあるときに、係止部材(81)が凹部(51v)に一部進退可能となるので、内燃機関が始動し走行を開始するときに係止部材(81)が凹部(51v)に進入していても、コントロールロッド(51)をニュートラル位置から１速位置に円滑に移動して変速して走行することができ、
なお、コントロールロッド(51)が１速位置からニュートラル位置までの間以外の２速位置以上の高速段位置にあるときは、係止部材(81)がコントロールロッド(51)の凹部(51v)に進入することがないので、２速位置以上の高速段でのシフトアップおよびシフトダウンは円滑に行われる。
【００２１】
請求項３記載の多段変速機によれば、
歯車軸(12)の内周にコントロールロッド(51)が挿入される挿入穴(85h)が形成された円筒部材(85)が固着され、円筒部材(85)の挿入穴(85h)の周囲の周壁に周方向に等間隔に係止部材(81)が案内されて移動自在に挿入される少なくとも３本の案内孔(86)が前記挿入穴(85h)から放射方向に穿孔され、コントロールロッド(51)が１速位置からニュートラル位置までの間にあるときに、コントロールロッド(51)の凹部(51v)が円筒部材(85)の挿入穴(85h)に挿入されて、案内孔(86)の挿入穴(85h)への内側開口(86i)が凹部(51v)に臨むように構成されているので、歯車軸(12)が略水平に保たれていれば、走行を停止するとき、歯車軸(12)の回転が停止して、コントロールロッド(51)が１速位置からニュートラル位置に移動すると、複数の案内孔(86)のうち少なくとも１本の案内孔(86)に挿入された係止部材(81)は重力によりコントロールロッド(51)の凹部(51v)に一部進入することで、係止部材(81)によりコントロールロッド(51)が係止されて移動が規制されてニュートラル位置に容易かつ確実に位置決めされる。
【００２２】
コントロールロッド(51)が１速位置からニュートラル位置までの間にあるときに、係止部材(81)はコントロールロッド(51)の凹部(51v)に一部進退可能となるので、内燃機関が始動し走行を開始するときに係止部材(81)が重力により凹部(51v)に進入していても、コントロールロッド(51)をニュートラル位置から１速位置に円滑に移動して変速して走行することができ、走行を開始して歯車軸(12)が回転すると、係止部材(81)は重力に抗して遠心力により径方向外側に移動してコントロールロッド(51)の凹部(51v)から抜けて係止解除状態にあるので、コントロールロッド(51)は１速位置からニュートラル位置を経て２速位置へ円滑に移動してシフトアップが容易に行われ、同様に、２速位置からニュートラル位置を経て１速位置への移動も円滑でシフトダウンも容易に行われる。
【００２３】
請求項４記載の多段変速機によれば、円筒部材(85)の案内孔(86)は、コントロールロッド(51)の挿入穴(85h)への挿入方向に対して鋭角の傾斜角度を有した方向に指向して穿孔されているので、走行を停止するとき、歯車軸(12)の回転が停止して、コントロールロッド(51)が１速位置からニュートラル位置に移動すると、コントロールロッド(51)の凹部(51v)に一部進入した係止部材(81)は凹部(51v)の一方の内側面(51vL)と同内側面(51vL)に相対する傾斜した案内孔(86)の傾斜面(86r)との間に挟まれて係止部材(81)によりコントロールロッド(51)が係止されて移動が規制されニュートラル位置に容易かつ確実に位置決めされる。
【００２４】
請求項５記載の多段変速機によれば、前記円筒部材(85)は、歯車軸(12)の係合切換機構(20)より軸方向外側の内周に固着され、コントロールロッド(51)の凹部(51v)は、コントロールロッド(51)の端部近傍に周方向に溝条に形成されるので、ニュートラル位置決め機構(80)の配置が容易であるとともに、ニュートラル位置決め機構(80)をコンパクトに構成することができる。
【００２５】
請求項６記載の多段変速機によれば、コントロールロッド(51)における凹部(51v)が近傍にある側の先端部(51e)は、円錐状に尖ったテーパ面(51et)が形成されているので、コントロールロッド(51)の移動で、コントロールロッド(51)の先端部(51e)が案内孔(86)の挿入穴(85h)への内側開口(86i)から進出した係止部材(81)に干渉してもテーパ面(51et)で係止部材(81)を円滑に退行させてコントロールロッド(51)の移動を容易にすることができる。
【００２６】
請求項７記載の多段変速機によれば、前記係止部材(81)は球体をなし、円筒部材(85)における案内孔(86)の挿入穴(85h)への内側開口(86i)は、内径が縮径されているので、２速以上の変速段でコントロールロッド(51)が円筒部材(85)の挿入穴(85h)から抜けているときに、係止部材(81)が径方向内側の挿入穴(85h)に抜け落ちることを防止することができる。
【００２７】
２速以上の変速段では、通常、歯車軸(12)は回転して遠心力により係止部材(81)は案内孔(86)の径方向外側に位置して径方向内側の挿入穴(85h)に抜け落ちることはないが、振動等何らかの原因で抜けるようなことを確実に防止することができる。
また、円筒部材(85)の案内孔(86)に挿入された係止部材(81)は径方向内側の挿入穴(85h)に抜け落ちないので、複数の案内孔(86)に係止部材(81)を挿入した円筒部材(85)を歯車軸(12)の端部内周に固着する組付けの作業性を良くすることができる。
【００２８】
請求項８記載の多段変速機によれば、円筒部材(85)の案内孔(86)に移動自在に挿入される係止部材(81)に、径方向内側に付勢力が作用するように、ばね部材(90)が案内孔(86)に挿入されるので、係止部材(81)の移動が潤滑油等で円滑でない場合でも、歯車軸(12)が回転していないときに、ばね部材(90)の付勢力により係止部材(81)をコントロールロッド(51)の凹部(51v)に確実に進入させて、ニュートラル位置決めを確実に実行することができる。
【図面の簡単な説明】
【００２９】
【図１】本発明の一実施の形態に係る多段変速機の断面図である。
【図２】カウンタ歯車軸およびその周りの構造を示す断面図（図４，図５のII−II線断面図）である。
【図３】カウンタ歯車軸およびその周りの構造を示す別の断面図（図４，図５のIII−III線断面図）である。
【図４】図２，図３のIV−IV線断面図である。
【図５】図２，図３のＶ−Ｖ線断面図である。
【図６】コントロールロッドとロストモーション機構の分解斜視図である。
【図７】コントロールロッドにロストモーション機構組み付けた状態とカムロッド等の分解斜視図である。
【図８】カウンタ歯車軸およびピン部材とスプリングの一部の分解斜視図である。
【図９】カウンタ歯車軸の左側面図（図８のIX矢視図）である。
【図１０】揺動爪部材および支軸ピン，ピン部材，スプリングの分解斜視図である。
【図１１】コントロールロッドに変速駆動手段の一部および係合手段を組み付けた状態を示す斜視図である。
【図１２】図１１に示す状態のカウンタ歯車軸に１つの軸受カラー部材を外装した状態を示す斜視図である。
【図１３】２速へのシフトアップ完了直前のカウンタ歯車軸およびその周りの構造を示す断面図である。
【図１４】図１３のXIV−XIV線断面図である。
【図１５】図１３のXV−XV線断面図である。
【図１６】シフト伝達機構の側面図である。
【図１７】ニュートラル位置決め機構の斜視図である。
【図１８】有底円筒部材の右側面図である。
【図１９】ニュートラル位置決め機構の有底円筒部材を断面としコントロールロッドの先端部を側面として示した拡大側面図である。
【図２０】図１９における有底円筒部材のXX-XX線断面図である。
【図２１】１速走行状態にあるときのニュートラル位置決め機構の要部拡大断面図である。
【図２２】ニュートラル状態にあるときのニュートラル位置決め機構の要部拡大断面図である。
【図２３】別の実施の形態における１速停止状態にあるときのニュートラル位置決め機構の要部拡大断面図である。
【発明を実施するための形態】
【００３０】
以下、本発明に係る一実施の形態について図１ないし図２０に基づいて説明する。
本実施の形態に係る多段変速機10は、自動二輪車に搭載される内燃機関に組み込まれて構成されている。
図１は、該多段変速機10の断面図であり、同図１に示すように、該多段変速機10は、内燃機関と共通の機関ケース１に設けられている。
左右割りの左機関ケース１Ｌと右機関ケース１Ｒが合体して構成された機関ケース１は、変速室２を形成しており、同変速室２にメイン歯車軸11とカウンタ歯車軸12が互いに平行に左右方向に指向して回転自在に軸支されている。
【００３１】
メイン歯車軸11は、左機関ケース１Ｌの側壁と右機関ケース１Ｒの別体の側壁１RRにベアリング３Ｌ，３Ｒを介して回転自在に軸支され、右ベアリング３Ｒを貫通して変速室２から突出した右端部には多板式の摩擦クラッチ５が設けられている。
【００３２】
摩擦クラッチ５の左側には、図示されないクランク軸の回転が伝達されるプライマリ被動ギヤ４がメイン歯車軸11に回転自在に軸支されている。
内燃機関のクランク軸の回転がプライマリ被動ギヤ４から係合状態の摩擦クラッチ５を介してメイン歯車軸11に伝達される。
【００３３】
他方、カウンタ歯車軸12も、左機関ケース１Ｌの側壁と右機関ケース１Ｒの側壁１RRにベアリング７Ｌ，７Ｒを介して回転自在に軸支され、左ベアリング７Ｌを貫通して変速室２から突出した左端部には円筒状のカラー部材33が左ベアリング７Ｌのインナレースに当接して嵌合され、カウンタ歯車軸12のカラー部材33が嵌合される箇所に径方向に貫通された給油導入孔12ｘが複数穿孔され、対応してカラー部材33にも導入孔が形成され、その外周を環状シール部材39が覆っている。
【００３４】
そして、カラー部材33との間に皿ばね34を挟んで出力スプロケット32がカウンタ歯車軸12にスプライン嵌合され、カウンタ歯車軸12の軸端に介装部材36を介装して螺合される袋ナット37によりスペーサ35を介して出力スプロケット32が外側から押えられる。
【００３５】
このようにして取り付けられた出力スプロケット32に駆動チェーン38が巻き掛けられ、同駆動チェーン38が後方の図示されない後輪を駆動するスプロケットに巻き掛けられて、カウンタ歯車軸12の回転動力が後輪に伝達され、車両が走行する。
【００３６】
メイン歯車軸11には、左右のベアリング３Ｌ，３Ｒの間に駆動変速歯車ｍ群がメイン歯車軸11と一体に回転可能にメイン歯車軸11に構成されている。
右ベアリング３Ｒに沿って第１駆動変速歯車ｍ１がメイン歯車軸11に一体に形成され、メイン歯車軸11の同第１駆動変速歯車ｍ１と左ベアリング３Ｌとの間に形成されたスプラインに右から左へ順に順次径を大きくした第２，第３，第４，第５，第６駆動変速歯車ｍ２，ｍ３，ｍ４，ｍ５，ｍ６がスプライン嵌合されている。
【００３７】
他方、カウンタ歯車軸12には、左右のベアリング７Ｌ，７Ｒの間に被動変速歯車ｎ群が円環状の軸受カラー部材13を介して回転自在に軸支されている。
カウンタ歯車軸12において、右ベアリング７Ｒの左に介装されたカラー部材14Ｒを介して外装された右端の軸受カラー部材13と、左ベアリング７Ｌの右に介装されたカラー部材14Ｌを介して外装された左端の軸受カラー部材13との間に、等間隔に５つの軸受カラー部材13が外装され、この全部で７つの軸受カラー部材13の隣り合う軸受カラー部材13，13間に跨るようにして右から左へ順に順次径を小さくした第１，第２，第３，第４，第５，第６被動変速歯車ｎ１，ｎ２，ｎ３，ｎ４，ｎ５，ｎ６が回転自在に軸支されている。
【００３８】
メイン歯車軸11と一体に回転する第１，第２，第３，第４，第５，第６駆動変速歯車ｍ１，ｍ２，ｍ３，ｍ４，ｍ５，ｍ６は、カウンタ歯車軸12に回転自在に軸支される対応する第１，第２，第３，第４，第５，第６被動変速歯車ｎ１，ｎ２，ｎ３，ｎ４，ｎ５，ｎ６にそれぞれ常時噛み合っている。
【００３９】
第１駆動変速歯車ｍ１と第１被動変速歯車ｎ１の噛合が、最も減速比の大きい１速を構成し、第６駆動変速歯車ｍ６と第６被動変速歯車ｎ６の噛合が、最も減速比の小さい６速を構成し、その間順次減速比が小さくなって２速、３速、４速、５速が構成される。
【００４０】
カウンタ歯車軸12に変速段が奇数段の奇数段歯車（第１，第３，第５被動変速歯車ｎ１，ｎ３，ｎ５）と変速段が偶数段の偶数段歯車（第２，第４，第６被動変速歯車ｎ２，ｎ４，ｎ６）が交互に配列されることになる。
【００４１】
中空筒状をなすカウンタ歯車軸12は、各被動変速歯車ｎと係合可能な係合手段20が後記するように組み込まれ、後記するように係合手段20の１構成要素である種類ごと２本ずつ４種類の計８本のカムロッドＣ（Ｃao，Ｃao，Ｃae，Ｃae，Ｃbo，Ｃbo，Ｃbe，Ｃbe）がカウンタ歯車軸12の中空内周面に形成された後記するカム案内溝12ｇに嵌合して軸方向に移動自在に設けられる（図９参照）。
【００４２】
このカムロッドＣを駆動して変速する変速駆動手段50の１構成要素であるコントロールロッド51が、カウンタ歯車軸12の中空中心軸に挿入されており、コントロールロッド51の軸方向の移動は、ロストモーション機構52，53を介して連動してカムロッドＣを軸方向に移動する。
【００４３】
このコントロールロッド51を軸方向に移動する機構が、右機関ケース１Ｒに設けられている。
コントロールロッド51の軸方向の移動は、ロストモーション機構52，53を介してカムロッドＣを軸方向に連動し、このカムロッドＣの移動がカウンタ歯車軸12に組み込まれた係合手段20により各被動変速歯車ｎを選択的にカウンタ歯車軸12と係合して変速を行う。
【００４４】
図６を参照して、変速駆動手段50のコントロールロッド51は、円柱棒状をなし、軸方向の左右２か所に縮径して形成された外周凹部51ａ，51ｂがそれぞれ所定長さに亘って形成されるとともに、左端の円錐状に尖ったテーパ面51etを有する先端部51ｅの手前に幅狭の外周凹溝51ｖが形成されている。
コントロールロッド51の右端は雄ねじが形成された雄ねじ端部51bbとなっており、雄ねじ端部51bbの手前に６角形状のナット部51ｃが形成されている。
【００４５】
このコントロールロッド51の左右の外周凹部51ａ，51ｂにそれぞれ対応してロストモーション機構52，53が組み付けられる。
左右のロストモーション機構52，53は、同じ構造のものを左右に配設している。
【００４６】
左側のロストモーション機構52は、コトロールロッド51を摺動自在に嵌挿するスプリングホルダ52ｈが長尺ホルダ52hlと短尺ホルダ52hsの連結で構成され、内周面にコトロールロッド51の外周凹部51ａに対応する内周凹部52haが形成されている。
【００４７】
このスプリングホルダ52ｈにコントロールロッド51を貫通させてスプリングホルダ52ｈを外周凹部51ａに位置させたとき、スプリングホルダ52ｈの内周凹部52haとコントロールロッド51の外周凹部51ａの両空間が共通の空間を構成する。
【００４８】
スプリングホルダ52ｈの内周凹部52haとコントロールロッド51の外周凹部51ａの両空間に跨るようにスプリング受けである左右一対のコッタ52ｃ，52ｃが対向して嵌挿され、両コッタ52ｃ，52ｃ間にコントロールロッド51に巻回される圧縮コイルスプリング52ｓが介装されて両コッタ52ｃ，52ｃを離間する方向に付勢する。
なお、コッタ52ｃは、スプリングホルダ52ｈの内周凹部52haの内径を外径とし、コトロールロッド51の外周凹部51ａの外径を内径とした中空円板状をなし、組み付けのため半割りにされている。
【００４９】
右側のロストモーション機構53（スプリングホルダ53ｈ，長尺ホルダ53hl，短尺ホルダ53hs，内周凹部53ha，コッタ53ｃ，圧縮コイルスプリング53ｓ）も同じ構造をしてコトロールロッド51の外周凹部51ｂに配設される。
したがって、コトロールロッド51が軸方向に移動すると、左右のロストモーション機構52，53の圧縮コイルスプリング52ｓ，53ｓを介してスプリングホルダ52ｈ，53ｈが軸方向に移動する。
【００５０】
このコントロールロッド51の左右の外周凹部51ａ，51ｂに取り付けられたロストモーション機構52，53のスプリングホルダ52ｈ，53ｈの外周面に、８本のカムロッドＣ（Ｃao，Ｃao，Ｃae，Ｃae，Ｃbo，Ｃbo，Ｃbe，Ｃbe）が放射位置にあって当接される（図７参照）。
【００５１】
カムロッドＣは、断面が矩形で軸方向に長尺に延びる角柱棒状部材であり、スプリングホルダ52ｈ，53ｈと接する内周側面の反対側の外周側面がカム面を形成しており、カム面にカム溝ｖが所要３か所に形成され、内周側面にはスプリングホルダ52ｈ，53ｈのいずれか一方を左右から挟むように係止する一対の係止爪ｐが突出している。
カムロッドＣは、断面が特別な形状をしておらず概ね外形が単純な矩形の角柱棒状部材であるので、カムロッドＣを容易に製造することができる。
【００５２】
カム溝ｖ１，ｖ３，ｖ５が奇数段歯車（第１，第３，第５被動変速歯車ｎ１，ｎ３，ｎ５）に対応する３か所に形成された奇数段用カムロッドＣao，Ｃboには、正回転（加速時に被動変速歯車ｎからカウンタ歯車軸12に力が加わる回転方向）用と逆回転（減速時に被動変速歯車ｎからカウンタ歯車軸12に力が加わる回転方向）用の２種類があり、一方の正回転奇数段用カムロッドＣaoは、内周側面に右側スプリングホルダ53ｈに係止する係止爪ｐを有し、他方の逆回転奇数段用カムロッドＣboは、内周側面に左側スプリングホルダ52ｈに係止する係止爪ｐを有する（図７参照）。
【００５３】
同様に、カム溝ｖ２，ｖ４，ｖ６が偶数段の偶数段歯車（第２，第４，第６被動変速歯車ｎ２，ｎ４，ｎ６）に対応する３か所に形成された偶数段用カムロッドＣae，Ｃbeには、正回転用と逆回転用の２種類があり、一方の正回転偶数段用カムロッドＣaeは、内周側面に左側スプリングホルダ52ｈに係止する係止爪ｐを有し、他方の逆回転偶数段用カムロッドＣbeは、内周側面に右側スプリングホルダ53ｈに係止する係止爪ｐを有する（図７参照）。
【００５４】
したがって、コントロールロッド51の軸方向の移動により、右側のロストモーション機構53の圧縮コイルスプリング53ｓを介してスプリングホルダ53ｈとともに正回転奇数段用カムロッドＣaoと逆回転偶数段用カムロッドＣbeが軸方向に連動し、左側のロストモーション機構52のコイルスプリング52ｓを介してスプリングホルダ52ｈとともに逆回転奇数段用カムロッドＣboと正回転偶数段用カムロッドＣaeが軸方向に連動する。
【００５５】
図７に示すように、コントロールロッド51のナット部51ｃより右側の右端部分には、円筒状をしたコントロールロッド操作子55が、その内側に嵌装されたボールベアリング56を介して取り付けられる。
【００５６】
ボールベアリング56は、軸方向に２個連結したもので、コントロールロッド51のナット部51ｃより右側の右端部分に嵌入され、雄ねじ端部51bbに螺合されるナット57によりナット部51ｃとの間で挟まれて締結される。
【００５７】
したがって、コントロールロッド操作子55は、コントロールロッド51の右端部を回転自在に保持している。
このコントロールロッド操作子55の螺着されたナット57より右側に延出した円筒部に直径方向に穿孔したピン孔55ｈが形成されており、同ピン孔55ｈにシフトピン58が貫通する。
【００５８】
シフトピン58は、コトロールロッド操作子55を貫通して一方にのみ突出するもので（図２参照）、図１に示すように、その突出する端部が後記するシフトドラム67のシフト案内溝67ｖに摺動自在に係合する円柱状の係合部58ａであり、コトロールロッド操作子55を貫通する小径円柱部と係合部58ａとの間に直方体状をした摺動部58ｂが形成されている。
右機関ケース１Ｒの側壁１RRの右方に突出したガイド部１Raに溝条60が左右方向に指向して形成されており、この溝条60にシフトピン58の直方体状をした摺動部58ｂが摺動自在に嵌合してシフトピン58の回り止めとしている。
【００５９】
側壁１RRには右方に突出して支軸65が植設されて、同支軸65にベアリング66を介してシフトドラム67が回動自在に軸支されており、このシフトドラム67のシフト案内溝67ｖにシフトピン58の突出した係合部58ａが摺動自在に嵌合している。
【００６０】
シフトドラム67のシフト案内溝67ｖは、ドラム外周面に略一周に亘って螺旋を描くように形成され、その間に所定回動角度（例えば60度）毎に１速から６速までの各変速段位置およびその途中の１速と２速との間にニュートラル位置が形成されてリターン式の変速方式を構成している。
【００６１】
したがって、シフトドラム67の回動は、シフト案内溝67ｖに嵌合するシフトピン58をコントロールロッド操作子55とともに軸方向に移動させる。
コントロールロッド操作子55はコントロールロッド51の右端部を回転自在に保持しているので、結局シフトドラム67の回動はコントロールロッド51を軸方向に移動させる。
コントロールロッド51がカウンタ歯車軸12に対して軸方向の最も左側に位置するときが、図２ないし図５に示す１速状態であり、１速状態からコントロールロッド51が順次軸方向右側に移動するごとに、ニュートラル，２速，３速，４速，５速，６速状態が構成される。
【００６２】
なお、コントロールロッド51はカウンタ歯車軸12の中空中心軸Ｚ上を移動し、そのコントロールロッド51の左側先端部51ｅは、カウンタ歯車軸12の左端部内周に圧入された有底円筒部材85の挿入穴85ｈに臨んで挿入可能とされ、後記するニュートラル位置決め機構80が構成されている。
【００６３】
前記シフトドラム67は、図示されないシフトペダルの足操作によってシフト伝達機構100を介して回動する。
図１６はシフト伝達機構の要部を示す側面図であり、同図１６とシフト伝達機構の断面を示す図１とを参照して、シフト伝達機構100の構造を簡単に説明する。
【００６４】
カウンタ歯車軸12の下方に左右機関ケース１Ｌ，１Ｒを左右水平方向に貫通してシフトスピンドル102が架設されており、左機関ケース１Ｌを貫通した左端部にペダルリンクアーム部材101の基端が嵌着され、右機関ケース１Ｒを貫通した部分にシフトアーム103の基端が嵌着されるとともに、戻しばね104のコイル部が巻装されている。
【００６５】
ペダルリンクアーム部材101は、図示されないシフトペダルとリンクロッドを介して連結され、シフトペダルの操作をシフトスピンドル102の回動に伝達し、戻しばね104によりシフトスピンドル102とともにシフトペダルは元の中立位置に戻される。
【００６６】
シフトスピンドル102の上方にカム軸105と中間軸115が右機関ケース１Ｒに軸支されており、カム軸105に上流側回動部材106と下流側回動部材108が相対向して回動自在に軸支され、上流側回動部材106と下流側回動部材108の間にラチェット機構107が介装されている。
【００６７】
上流側回動部材106の偏心した位置に突設されたピン部106ｐが前記シフトアーム103の先端の長孔103ｈに摺動自在に係合して、シフトアーム103の揺動により長孔103ｈとピン部106ｐの係合を介して上流側回動部材106が回動され、ラチェット機構107を介して下流側回動部材108が回動される。
シフトアーム103の戻りの揺動に対しては、上流側回動部材106は逆方向に回動するが、上流側回動部材106の逆方向の回動に対して、下流側回動部材108はラチェット機構107により回動されない。
【００６８】
カム軸105に軸支された下流側回動部材108には一体に花形カム111が形成されている。
花形カム111は、１速，ニュートラル，２速，３速，４速，５速，６速までの各変速段とに対応するディテント凹部が順次形成された所定の凹凸カム面が周方向に連続して形成されている。
【００６９】
基端を軸支され、ねじりばね114により付勢されたディテントアーム112の先端に軸支されたローラ113が花形カム111の凹凸カム面に押圧されてディテント機構110が構成されている。
ディテント機構110は、花形カム111の凹凸カム面に押圧されたローラ113が花形カム111の各変速段に対応するディテント凹部に納まることで、花形カム111とともに下流側回動部材108を所要の変速段の回動位置に位置決めし安定して保持することができる。
【００７０】
下流側回動部材108にはギヤ108ｇが嵌着されており、ギヤ108ｇは中間軸115に嵌着された中間ギヤ116に噛合し、中間ギヤ116が前記シフトドラム67の側縁に形成されたギヤ67ｇに噛合している。
【００７１】
したがって、ペダル操作によりシフトスピンドル102が回動してシフトアーム103が一体に揺動すると、長孔103ｈとピン部106ｐの係合を介して上流側回動部材106が回動され、ラチェット機構107を介して回動された下流側回動部材108は、花形カム111のディテント機構110により所要の回動位置に安定保持され、その間の下流側回動部材108の回動は、中間ギヤ116を介してシフトドラム67を所定量回動し、シフト案内溝67ｖに案内されたシフトピン58を介してコントロールロッド51が軸方向に所定量移動し、変速段の切換えが行われる。
【００７２】
ディテント機構110の花形カム111は、１速，ニュートラル，２速，３速，４速，５速，６速までの各変速段とに対応するディテント凹部が順次形成された所定の凹凸カム面を外周縁に備え、凹凸カム面に押圧されたローラ113がディテント凹部に納まることで、花形カム111とともに下流側回動部材108を位置決めし安定して保持するが、加速時に１速から２速に円滑に変速できるように、ニュートラルに対応するディテント凹部は、他の変速段に対応するディテント凹部より凹みが浅く、安定保持力が弱い。
【００７３】
したがって、従来はペダル操作でニュートラルに入れる場合、ニュートラルを乗り越えて２速に行かないように、１速から軽くシフトペダルをかき上げてニュートラルに停止させる必要があった。
【００７４】
なお、カム軸105に軸支された下流側回動部材108から左方の左機関ケース１Ｌに向かって連結ロッド120が、カム軸105に同軸に延設され、同連結ロッド120の左端は左機関ケース１Ｌに軸支されており、左機関ケース１Ｌに装着されたギヤポジションセンサ121の作動軸が連結ロッド120の左端に同軸に結合されている。
したがって、花形カム111を備える下流側回動部材108の回動角度すなわち変速段をギヤポジションセンサ121が検出することができる。
【００７５】
以上のように、変速駆動手段50は、シフトペダルの足操作がシフト伝達機構100を介してシフトドラム67を所定量回動し、シフトドラム67の回動がシフト案内溝67ｖに嵌合したシフトピン58を案内して軸方向に移動し、シフトピン58の移動がコントロールロッド操作子55を介してコントロールロッド51を軸方向に移動し、コントロールロッド51の移動がロストモーション機構52，53を介して係合手段20の８本のカムロッドＣao，Ｃao，Ｃae，Ｃae，Ｃbo，Ｃbo，Ｃbe，Ｃbeを連動する。
【００７６】
ロストモーション機構52，53が組み付けられたコントロールロッド51は、カウンタ歯車軸12の中空内に挿入され中心軸に配設される。
この中空円筒状のカウンタ歯車軸12は、内径がロストモーション機構52，53のスプリングホルダ52ｈ，53ｈの外径に略等しく、コントロールロッド51に取り付けられたスプリングホルダ52ｈ，53ｈを摺動自在に嵌挿する。
【００７７】
そして、カウンタ歯車軸12の中空の内周面における８か所の放射位置に断面が矩形の８本のカム案内溝12ｇが軸方向に指向して延出形成されている（図９参照）。
８本のカムロッドＣao，Ｃao，Ｃae，Ｃae，Ｃbo，Ｃbo，Ｃbe，Ｃbeは、図７に示す配列で対応するカム案内溝12ｇに摺動自在に嵌合する。
同種類のカムロッドＣは、対称位置に配設される。
カウンタ歯車軸12に対するカム部材Ｃの回り止めとなるカム案内溝12ｇは、断面コ字状の単純な形状をして簡単に加工成形できる。
【００７８】
カム案内溝12ｇの深さはカムロッドＣの放射方向の幅に等しく、よってカムロッドＣの外周側面であるカム面はカム案内溝12ｇの底面に摺接し、内周側面は中空内周面と略同一面をなしてスプリングホルダ52ｈ，53ｈの外周面に接し、内周側面から突出した係止爪ｐはスプリングホルダ52ｈ，53ｈのいずれかを両側から挟むようにして掴む。
【００７９】
中空筒状をなすカウンタ歯車軸12は、軸受カラー部材13を介して被動変速歯車ｎが軸支される中央円筒部12ａの左右両側に外径が縮径された左側円筒部12ｂと右側円筒部12ｃが形成されている（図８参照）。
【００８０】
カウンタ歯車軸12の左側円筒部12ｂにはワッシャ14Ｌを介してベアリング７Ｌが嵌合され、他方、右側円筒部12ｃにはワッシャ14Ｒを介してベアリング７Ｒが嵌合される（図１，図２，図３参照）。
なお、カウンタ歯車軸12の左側円筒部12ｂの軸端部は外径が縮径されて雄ねじ12ｅが形成されており、雄ねじ12ｅの軸方向内側には出力スプロケット32がスプライン嵌合するスプライン溝12ｓが形成されている。
【００８１】
カウンタ歯車軸12の中空内は、カム案内溝12ｇが形成される内径がスプリングホルダ52ｈ，53ｈの外径に等しい小径内周面と、同小径内周面の両側の内径がカム案内溝12ｇの底面と略同一周面をなす大径内周面とが形成されている（図２，図３参照）。
右側の拡大内径部の内側に前記コントロールロッド操作子55が半分程挿入されている。
【００８２】
このように、カウンタ歯車軸12の中空内にコントロールロッド51とロストモーション機構52，53と８本のカムロッドＣao，Ｃao，Ｃae，Ｃae，Ｃbo，Ｃbo，Ｃbe，Ｃbeが組み込まれると、これら全てが一緒に回転し、コントロールロッド51が軸方向に移動すると、左側ロストモーション機構52のコイルスプリング52ｓを介して逆回転奇数段用カムロッドＣboと正回転偶数段用カムロッドＣaeが軸方向に連動し、右側ロストモーション機構53のコイルスプリング53ｓを介して正回転奇数段用カムロッドＣaoと逆回転偶数段用カムロッドＣbeが軸方向に連動する。
【００８３】
図８に示すように、カウンタ歯車軸12の軸受カラー部材13を介して被動変速歯車ｎが軸支される中央円筒部12ａは、外径が大きく厚肉に構成されており、この厚肉の外周部に周方向に一周する幅狭の周方向溝12cvが第１，第２，第３，第４，第５，第６被動変速歯車ｎ１，ｎ２，ｎ３，ｎ４，ｎ５，ｎ６に対応して軸方向に亘って等間隔に６本形成されるとともに、軸方向に指向した軸方向溝12avが周方向に亘って等間隔に４本形成されている。
【００８４】
さらに、カウンタ歯車軸12の中央円筒部12ａの外周部には、４本の軸方向溝12avで区画された４つの部分が各周方向溝12cvにおいて周方向溝12cvの溝幅を隣り合う軸方向溝12av，12av間に亘って長尺に左右均等に拡大した長尺矩形凹部12ｐと、周方向溝12cvの溝幅を隣り合う軸方向溝12av，12av間の一部で左右均等に拡大した短尺矩形凹部12ｑとが、軸方向に交互に形成されている。
【００８５】
長尺矩形凹部12ｐの底面の周方向に離れた２か所に軸方向に長尺の楕円形をして周方向溝12cvに跨って若干凹んだスプリング受部12ｄ，12ｄが形成されている。
また、短尺矩形凹部12ｑと軸方向溝12avとの間の厚肉部で周方向溝12cv上にピン孔12ｈが前記カム案内溝12ｇまで径方向に穿孔されている。
【００８６】
すなわち、カウンタ歯車軸12の中空内周面から周方向の８か所に刻設されたカム案内溝12ｇの放射方向にピン孔12ｈが穿孔される。
各周方向溝12cv上にはそれぞれ４か所ピン孔12ｈが形成される。
【００８７】
スプリング受部12ｄには、楕円形に巻回された圧縮スプリング22がその端部を嵌装させて設けられる。
ピン孔12ｈにはピン部材23が摺動自在に嵌挿される。
なお、ピン孔12ｈが連通するカム案内溝12ｇの幅は、ピン部材23の外径幅より小さい。
したがって、ピン孔12ｈを進退するピン部材23がカム案内溝12ｇに脱落することがないので、カウンタ歯車軸12への係合手段20の組み付けを容易にする。
【００８８】
カム案内溝12ｇにはカムロッドＣが摺動自在に嵌合されるので、ピン孔12ｈに嵌挿されたピン部材23は中心側端部が対応するカムロッドＣのカム面に接し、カムロッドＣの移動でカム溝ｖがピン孔12ｈに対応するとピン部材23がカム溝ｖに落ち込み、カム溝ｖ以外の摺接面が対応するとピン部材は摺接面に乗り上げ、カムロッドＣの移動により進退する。
ピン孔12ｈ内でのピン部材23の進退は、その遠心側端部を周方向溝12cvの底面より外側に出没させる。
【００８９】
以上のような構造のカウンタ歯車軸12の中央円筒部12ａの外周部に形成された長尺矩形凹部12ｐと短尺矩形凹部12ｑと両凹部間を連通する周方向溝12cvに、揺動爪部材Ｒが埋設され、軸方向溝12avに揺動爪部材Ｒを揺動自在に軸支する支軸ピン26が埋設される。
このようにして、全ての揺動爪部材Ｒが組み付けられた状態を図１１に示す。
【００９０】
図１０の分解斜視図には、奇数段歯車（第１，第３，第５被動変速歯車ｎ１，ｎ３，ｎ５）に対応する周方向溝12cvおよび長尺矩形凹部12ｐ，短尺矩形凹部12ｑに埋設される４個の揺動爪部材Ｒと、偶数段の偶数段歯車（第２，第４，第６被動変速歯車ｎ２，ｎ４，ｎ６）に対応する周方向溝12cvおよび長尺矩形凹部12ｐ，短尺矩形凹部12ｑに埋設される４個の揺動爪部材Ｒとが、互いの相対角度位置関係を維持した姿勢で図示されており、加えて各揺動爪部材Ｒを軸支する支軸ピン26および各揺動爪部材Ｒに作用する圧縮スプリング22とピン部材23が示されている。
【００９１】
揺動爪部材Ｒは、全て同じ形状のものを使用しており、軸方向視で略円弧状をなし、中央に支軸ピン26が貫通する貫通孔の外周部が欠損して軸受凹部Ｒｄが形成されており、同軸受凹部Ｒｄの揺動中心に関して一方の側に長尺矩形凹部12ｐに揺動自在に嵌合する幅広矩形の係合爪部Ｒｐが形成され、他方の側にはピン孔12ｈが形成された周方向溝12cvに揺動自在に嵌合する幅狭のピン受部Ｒｒが延出し、その端部は短尺矩形凹部12ｑに至り幅広に拡大した幅広端部Ｒｑが形成されている。
【００９２】
揺動爪部材Ｒは、ピン受部Ｒｒがピン孔12ｈが形成された周方向溝12cvに嵌合し、一方の係合爪部Ｒｐが長尺矩形凹部12ｐに嵌合するとともに軸受凹部Ｒｄが軸方向溝12avに合致し、他方の幅広端部Ｒｑが短尺矩形凹部12ｑに嵌合する。
そして、合致した軸受凹部Ｒｄと軸方向溝12avに支軸ピン26が嵌合される。
【００９３】
揺動爪部材Ｒは、嵌合する周方向溝12cvに関して左右対称に形成されており、一方の幅広矩形の係合爪部Ｒｐが他方のピン受部Ｒｒおよび幅広端部Ｒｑより重く、支軸ピン26に軸支されてカウンタ歯車軸12とともに回転したとき、遠心力に対して係合爪部Ｒｐが重錘として作用して遠心方向に突出するように揺動爪部材Ｒを揺動させる。
【００９４】
揺動爪部材Ｒは、ピン受部Ｒｒが揺動中心に関して反対側の係合爪部Ｒｐ側より幅が狭く形成されている。
また、ピン受部Ｒｒは、ピン部材23を受け止めるだけの幅を具えれば足りるので、揺動爪部材Ｒを小型に形成することができ、かつ他方の係合爪部Ｒｐの遠心力による揺動を容易にすることができる。
【００９５】
周方向に隣り合う揺動爪部材Ｒは、互いに対称な姿勢にカウンタ歯車軸12に組み付けられるので、互いに所定間隔を存して対向する係合爪部Ｒｐ，Ｒｐは共通の長尺矩形凹部12ｐに嵌合し、他方の互いの近接する幅広端部Ｒｑは共通の短尺矩形凹部12ｑに嵌合する。
【００９６】
揺動爪部材Ｒの係合爪部Ｒｐの内側にカウンタ歯車軸12のスプリング受部12ｄに一端を支持された圧縮スプリング22が介装され、ピン受部Ｒｒの内側にピン孔12ｈに嵌挿されたピン部材23がカムロッドＣとの間に介装される。
【００９７】
このようにして、揺動爪部材Ｒが、支軸ピン26に揺動自在に軸支されてカウンタ歯車軸12の長尺矩形凹部12ｐ，短尺矩形凹部12ｑ，周方向溝12cvに埋設され、一方の係合爪部Ｒｐが圧縮スプリング22により外側に付勢され、他方のピン受部Ｒｒがピン部材23の進退により押圧されることで、圧縮スプリング22の付勢力に抗して揺動爪部材Ｒが揺動する。
【００９８】
ピン部材23が遠心方向に進行して揺動爪部材Ｒを揺動したときは、揺動爪部材Ｒは係合爪部Ｒｐが長尺矩形凹部12ｐに没してカウンタ歯車軸12の中央円筒部12ａの外周面より外側に突出するものはない。
また、ピン部材23が退行したときは、圧縮スプリング22により付勢された係合爪部Ｒｐがカウンタ歯車軸12の中央円筒部12ａの外周面より外側に突出し被動変速歯車ｎと係合可能とする。
【００９９】
圧縮スプリング22がカウンタ歯車軸12の軸方向を長径とする楕円形状をなし、楕円形状をした圧縮スプリング22は、長径が揺動爪部材Ｒのピン受部Ｒｒの幅より大きく、ピン受部Ｒｒを揺動可能に嵌合する周方向に一周に亘って形成される周方向溝12cvを跨いで受け止められるので、カウンタ歯車軸12の加工を容易にするとともに、揺動爪部材Ｒを安定してカウンタ歯車軸12に組み付けることができる。
【０１００】
奇数段歯車（第１，第３，第５被動変速歯車ｎ１，ｎ３，ｎ５）に対応する４個の揺動爪部材Ｒと、偶数段の偶数段歯車（第２，第４，第６被動変速歯車ｎ２，ｎ４，ｎ６）に対応する４個の揺動爪部材Ｒは、互いに軸中心に90度回転した相対角度位置関係にある。
【０１０１】
奇数段歯車（第１，第３，第５被動変速歯車ｎ１，ｎ３，ｎ５）に対応する４個の揺動爪部材Ｒは、歯車の正回転方向で当接して各奇数段被動変速歯車ｎ１，ｎ３，ｎ５とカウンタ歯車軸12とが同期して回転するように係合する正回転奇数段揺動爪部材Ｒaoと、歯車の逆回転方向で当接して各奇数段被動変速歯車ｎ１，ｎ３，ｎ５とカウンタ歯車軸12とが同期して回転するように係合する逆回転奇数段係合部材Ｒboとが、それぞれ対称位置に一対ずつ設けられる。
【０１０２】
同様に、偶数段歯車（第２，第４，第６被動変速歯車ｎ２，ｎ４，ｎ６）に対応する４個の揺動爪部材Ｒは、歯車の正回転方向で当接して各偶数段被動変速歯車ｎ２，ｎ４，ｎ６とカウンタ歯車軸12とが同期して回転するように係合する正回転偶数段揺動爪部材Ｒaeと、歯車の逆回転方向で当接して各偶数段被動変速歯車ｎ２，ｎ４，ｎ６とカウンタ歯車軸12とが同期して回転するように係合する逆回転偶数段係合部材Ｒbeとが、それぞれ対称位置に一対ずつ設けられる。
【０１０３】
正回転奇数段揺動爪部材Ｒaoが前記正回転奇数段用カムロッドＣaoの移動により進退するピン部材23により揺動し、逆回転奇数段係合部材Ｒboが前記逆回転奇数段用カムロッドＣboの移動により進退するピン部材23により揺動する。
同様に、正回転偶数段揺動爪部材Ｒaeが前記正回転偶数段用カムロッドＣaeの移動により進退するピン部材23により揺動し、逆回転偶数段係合部材Ｒbeが前記逆回転偶数段用カムロッドＣbeの移動により進退するピン部材23により揺動する。
【０１０４】
カウンタ歯車軸12に係合手段20を組み込む場合、まず右端の軸受カラー部材13を中央円筒部12ａの外周端部に外装し、その軸受カラー部材13の内側の軸方向溝12avに支軸ピン26の一端を嵌入するようにして右端の係合手段20を組み込み、次の軸受カラー部材13を前記支軸ピン26の他端を覆うように外装した後、前段と同じようにして次段の係合手段20を組み込むことを、順次繰り返して、最後に左端の軸受カラー部材13を外装して終了する。
【０１０５】
図１２に示すように、軸受カラー部材13は、中央円筒部12ａの長尺矩形凹部12ｐおよび短尺矩形凹部12ｑ以外の軸方向位置に外装され、それは軸方向溝12avに一列に連続して埋設される支軸ピン26の隣り合う支軸ピン26，26に跨って配置され、支軸ピン26および揺動爪部材Ｒの脱落を防止する。
カウンタ歯車軸12の中央円筒部12ａの軸方向溝12avに埋設される支軸ピン26は、中央円筒部12ａの外周面に接する深さに埋設されるので、軸受カラー部材13が外装されると、ガタなく固定される。
【０１０６】
７個の軸受カラー部材13がカウンタ歯車軸12に等間隔に外装され、隣り合う軸受カラー部材13，13間に跨るようにして被動変速歯車ｎが回転自在に軸支される。
各被動変速歯車ｎは、左右内周縁部（内周面の左右周縁部）に切欠きが形成されて左右切欠きの間に薄肉環状の突条30が形成されており、この突条30を挟むように左右の軸受カラー部材13，13が切欠きに滑動自在に係合する（図２，図３参照）。
【０１０７】
この各被動変速歯車ｎの内周面の突条30に係合凸部31が周方向に等間隔に６箇所形成されている（図２，図３，図４，図５参照）。
係合凸部31は、側面視（図４，図５に示す軸方向視）で薄肉円弧状をなし、その周方向の両端面が前記揺動爪部材Ｒの係合爪部Ｒｐと係合する係合面をなす。
【０１０８】
正回転奇数段揺動爪部材Ｒao（正回転偶数段揺動爪部材Ｒae）と逆回転奇数段係合部材Ｒbo（逆回転偶数段係合部材Ｒbe）は、互いに対向する側に係合爪部Ｒｐ，Ｒｐを延出しており、正回転奇数段揺動爪部材Ｒao（正回転偶数段揺動爪部材Ｒae）は被動変速歯車ｎ（およびカウンタ歯車軸12）の正回転方向で係合凸部31に当接して係合し、逆回転奇数段係合部材Ｒbo（逆回転偶数段係合部材Ｒbe）は被動変速歯車ｎの逆の回転方向で、係合凸部31に当接して係合する。
【０１０９】
なお、正回転奇数段揺動爪部材Ｒao（正回転偶数段揺動爪部材Ｒae）は被動変速歯車ｎの逆の回転方向では係合爪部Ｒｐが外側に突出していても係合せず、同様に、逆回転奇数段係合部材Ｒbo（逆回転偶数段係合部材Ｒbe）は被動変速歯車ｎの正回転方向では係合爪部Ｒｐが外側に突出していても係合しない。
【０１１０】
カムロッドＣが１速と２速の間のニュートラル位置にあれば、全ての被動変速歯車ｎは、それぞれ対応する係合手段20のカムロッドＣの移動位置によりピン部材23が突出して揺動爪部材Ｒのピン受部Ｒｑを内側から押し上げ係合爪部Ｒｐを内側に引っ込めた係合解除状態にあって、カウンタ歯車軸12に対して自由に回転する。
【０１１１】
一方、係合手段20のカムロッドＣのニュートラル位置以外の移動位置によりピン部材23がカム溝ｖに入り揺動爪部材Ｒが揺動して係合爪部Ｒｐを外側に突出した係合可能状態となれば、対応する被動変速歯車ｎの係合凸部31が係合爪部Ｒｐに当接して、該被動変速歯車ｎの回転がカウンタ歯車軸12に伝達されるか、またはカウンタ歯車軸12の回転が該被動変速歯車ｎに伝達される。
【０１１２】
前記変速駆動手段50において、シフトペダルの操作によってシフトドラム67を所定量回動し、シフトドラム67の回動がシフト案内溝67ｖに嵌合したシフトピン58を介してコントロールロッド51を軸方向に所定量移動し、ロストモーション機構52，53を介して係合手段20の８本のカムロッドＣao，Ｃao，Ｃae，Ｃae，Ｃbo，Ｃbo，Ｃbe，Ｃbeを連動する。
【０１１３】
カムロッドＣが軸方向に移動することで、カムロッドＣのカム面に摺接するピン部材23がカム溝ｖに入ったり抜けたりして進退し、揺動爪部材Ｒを揺動して、被動変速歯車ｎとの係合を解除し、他の被動変速歯車ｎと係合してカウンタ歯車軸12と係合する被動変速歯車ｎを変えることで変速が行われる。
【０１１４】
シフトペダルの操作によって変速する場合、一度のシフトペダルの操作は、シフト伝達機構100のラチェット機構107によりシフトドラム67を所定角度回動し、シフトピン58，コントロールロッド操作子55を介してコントロールロッド51を所定量（変速１段分）移動し、シフトペダル自体は元に戻り、次の変速に備える。
【０１１５】
図２ないし図５は１速の加速状態を示しており、この１速の加速状態からシフトペダルの足操作によって２速に変速する場合を考察してみると、シフトペダルの操作によってシフトドラム67が所定角度回動し、シフトピン58を介してコントロールロッド51を軸方向右方に所定量移動させる。
【０１１６】
コントロールロッド51が右方に移動すると、ロストモーション機構52，53のコイルスプリング52ｓ，53ｓを介して８本のカムロッドＣao，Ｃao，Ｃae，Ｃae，Ｃbo，Ｃbo，Ｃbe，Ｃbeを連動して軸方向右方に移動しようとするが、正回転奇数段用カムロッドＣaoは、ピン部材23を介して作動する正回転奇数段揺動爪部材Ｒaoが第１被動変速歯車ｎ１の係合凸部31と係合して第１被動変速歯車ｎ１から動力を受けているので、正回転奇数段揺動爪部材Ｒaoを揺動して係合を解除するのに相当大きな摩擦抵抗があり、当初直ぐには移動せず、よって逆回転偶数段用カムロッドＣbeも停止したままであるが、正回転偶数段用カムロッドＣaeと逆回転奇数段用カムロッドＣboは抵抗なく移動する。
逆回転奇数段用カムロッドＣboの移動で１速の逆回転奇数段揺動爪部材Ｒboが係合爪部Ｒｐを内側に引っ込める。
【０１１７】
図１３ないし図１５を参照して、正回転偶数段用カムロッドＣaeの移動で、カム溝ｖ２にピン部材23が入り、よって第２被動変速歯車ｎ２に対応する正回転偶数段揺動爪部材Ｒaeが圧縮スプリング22の付勢力および係合爪部Ｒｐの遠心力により揺動して係合爪部Ｒｐを外側に突出し、第２被動変速歯車ｎ２に係合可能となり、第１被動変速歯車ｎ１とともに回転するカウンタ歯車軸12より高速で回転する第２被動変速歯車ｎ２の係合凸部31が正回転偶数段揺動爪部材Ｒaeの外側に突出した係合爪部Ｒｐに追いつき当接する。
【０１１８】
図１３ないし図１５は、第２被動変速歯車ｎ２の係合凸部31が正回転偶数段揺動爪部材Ｒaeの外側に突出した係合爪部Ｒｐに追いつく直前の状態を示しており、図１４で第１被動変速歯車ｎ１の係合凸部31が正回転奇数段揺動爪部材Ｒaoと係合した状態で、同時に図１５に示すように第２被動変速歯車ｎ２の係合凸部31が正回転偶数段揺動爪部材Ｒaeの外側に突出した係合爪部Ｒｐに追いつく直前である。
【０１１９】
この時点で、まだ正回転奇数段揺動爪部材Ｒaoが第１被動変速歯車ｎ１の係合凸部31と係合して第１被動変速歯車ｎ１から動力を受けているので、コントロールロッド51は移動しているが、摩擦抵抗により正回転奇数段用カムロッドＣaoは停止したままである。
【０１２０】
図１３ないし図１５に示す状態から、第２被動変速歯車ｎ２の係合凸部31が正回転偶数段揺動爪部材Ｒaeの外側に突出した係合爪部Ｒｐに追いつくと、より高速で回転する第２被動変速歯車ｎ２によりカウンタ歯車軸12が第２被動変速歯車ｎ２と同じ回転速度で回転し始め、第１被動変速歯車ｎ１の係合凸部31から正回転奇数段揺動爪部材Ｒaoの係合爪部Ｒｐが離れ、実際の１速から２速へのシフトアップが実行される。
【０１２１】
第１被動変速歯車ｎ１の係合凸部31から正回転奇数段揺動爪部材Ｒaoの係合爪部Ｒｐが離れることで、正回転奇数段揺動爪部材Ｒaoを固定する摩擦抵抗が無くなり、ロストモーション機構53のコイルスプリング53ｓにより付勢されていた正回転奇数段用カムロッドＣaoが後れて右方に移動してカム溝ｖ１に入っていたピン部材23が抜け出し、正回転奇数段揺動爪部材Ｒaoを揺動してその係合爪部Ｒｐを内側に引っ込める。
【０１２２】
以上のように、１速の加速状態から減速比が１段小さい２速状態にシフトアップする際に、第１被動変速歯車ｎ１の係合凸部31が正回転奇数段揺動爪部材Ｒaoの係合爪部Ｒｐに当接して係合しカウンタ歯車軸12を第１被動変速歯車ｎ１と同速度で回転させている状態で、より高速で回転する第２被動変速歯車ｎ２の係合凸部31が正回転偶数段揺動爪部材Ｒaeの係合爪部Ｒｐに追いつき当接してカウンタ歯車軸12を第２被動変速歯車ｎ２とともにより高速度で回転させて変速するので、第１被動変速歯車ｎ１の係合凸部31から正回転奇数段揺動爪部材Ｒaoの係合爪部Ｒｐは自然と離れていき係合が円滑に解除されるため、係合解除に力を要せず滑らかに作動して滑らかなシフトアップを行うことができる。
【０１２３】
２速から３速、３速から４速、４速から５速、５速から６速の各シフトアップも同様に、被動変速歯車ｎが揺動爪部材Ｒに係合している状態で、減速比が１段小さい被動変速歯車ｎが揺動爪部材Ｒに係合してシフトアップがなされるので、係合解除に力を要せず滑らかに作動して変速用のクラッチを必要とせず、かつシフトアップ時の切換え時間に全くロスがなく、駆動力の抜けがないとともに変速ショックも小さく、滑らかなシフトアップを行うことができる。
【０１２４】
シフトダウンも同様に、被動変速歯車ｎが揺動爪部材Ｒに係合している状態で、減速比が１段大きい被動変速歯車ｎに揺動爪部材Ｒが係合してシフトダウンがなされるので、係合解除に力を要せず滑らかに作動して変速用のクラッチを必要とせず、かつシフトダウン時の切換え時間に全くロスがなく、駆動力の抜けがないとともに変速ショックも小さく、滑らかなシフトダウンを行うことができる。
【０１２５】
本多段変速機10の変速方式は、１速と２速の間にニュートラル状態があるリターン式であり、前記した１速の加速状態から２速状態へのシフトアップは、コントロールロッド51が最も左側に位置した１速位置から右方に移動してニュートラル位置を経由して２速位置に至ることにより変速段の切換えがなされるものである。
したがって、走行を停止して１速からニュートラルに入れるときは、コントロールロッド51をその他の変速のときの移動量の半分程度の小さい移動量移動させて２速位置手前のニュートラル位置で停止させる。
【０１２６】
しかし、本多段変速機10においては、コントロールロッド51が１速と２速の間のニュートラル位置にあるとき、８本のカムロッドＣがニュートラル位置にあって、全てのピン部材23がカムロッドＣのカム溝ｖに係合せずにカム面に接しているだけであるので、ピン部材23によりカムロッドＣおよびコントロールロッド51をニュートラル位置に位置決めして安定させているわけではない。
【０１２７】
また、前記したように、シフト伝達機構100が備えるディテント機構110の花形カム111は、ニュートラルに対応するディテント凹部が、他の変速段に対応するディテント凹部より凹みが浅く、安定保持力が弱いので、走行を停止して１速からニュートラルに入れるには、シフトペダルの操作を通常の変速操作の半分程度に調節しなければならず、大き過ぎると、コントロールロッド51がニュートラル位置を過ぎて２速位置まで移動してしまう可能性がある。
【０１２８】
そこで、本多段変速機10は、コントロールロッド51をニュートラル位置に確実に位置決めできるニュートラル位置決め機構80が、カウンタ歯車軸12の左端部内周に設けられている。
以下、図１７ないし図２２に基づきニュートラル位置決め機構80について説明する。
【０１２９】
カウンタ歯車軸12の左端部内周には、有底円筒部材85が左側から圧入されて所定位置に固定されている。
有底円筒部材85は、挿入穴85ｈを右方に向け、カウンタ歯車軸12の左側から軸方向でカウンタ歯車軸12の給油導入孔12ｘより大分手前の略出力スプロケット32の嵌合位置辺りまで圧入されている（図２，図３参照）。
【０１３０】
この有底円筒部材85の挿入穴85ｈは、内径がコントロールロッド51の外径（先端部51ｅの外径でもある）に略等しく、該挿入穴85ｈにコントロールロッド51の先端部51ｅが臨んで挿入可能とされる。
有底円筒部材85は、挿入穴85ｈの周囲の周壁に周方向に等間隔に３本の案内孔86が挿入穴85ｈから斜め放射方向に穿孔されている（図１９ないし図２０参照）。
【０１３１】
３本の案内孔86はコントロールロッド51の挿入穴85ｈへの挿入方向に対して鋭角の傾斜角度αを有した方向に指向して穿孔されている。
すなわち、図１９に示すように、３本の案内孔86の傾斜角度αは、有底円筒部材85の中心軸すなわちカウンタ歯車軸12の中心軸Ｚに対する角度αである。
【０１３２】
案内孔86は、有底円筒部材85の外周側から傾斜角度αでドリルにより加工端形状が半球面となるように穿孔加工されるが、ドリルは挿入穴85ｈまで完全に穿孔する手前の、斜めに切り込むドリルの先端ののみ刃部が一部残して挿入穴85ｈに抜けたところで穿孔を停止する。
案内孔86はドリルにより内径Ｄの円孔として形成されるが、挿入穴85ｈを右方に向けた有底円筒部材85における案内孔86の内周面の右側傾斜面86ｒは、挿入穴85ｈへの内側開口86ｉの近傍で内径が縮径されてすぼまった開口縁部86raを形成しており、開口縁部86raの内径ｄは、案内孔86の内径Ｄより小さく、さらに案内孔86に挿入されるボール81の外径より小さい（図２０参照）。
なお、案内孔86の外側開口は、カウンタ歯車軸12の内周面で塞がれる。
【０１３３】
この３本の案内孔86には、それぞれ係止部材であるボール81が移動自在に挿入される。
ボール81は、案内孔86の内径Ｄより若干小さい直径の鋼球であり、案内孔86に案内されて斜め径方向に移動できる。
【０１３４】
しかし、ボール81の直径は、案内孔86の挿入穴85ｈへの開口縁部86raの内径ｄよりは大きいので、ボール81は、開口縁部86raに規制されて案内孔86から挿入穴85ｈに抜けることはできず、開口縁部86raに嵌って内側開口86ｉから一部を挿入穴85ｈに突出させて止まる（図２１，図２２参照）。
【０１３５】
図１８ないし図２０は、水平中心軸Ｚを中心に回転する有底円筒部材85が、挿入穴85ｈから斜め放射方向に穿孔された３本の案内孔86のうち１本の案内孔86が挿入穴85ｈから上方に向いて回転を停止している状態を示しており、この状態では挿入穴85ｈより上方にある案内孔86に挿入されたボール81は自重により径方向内側に移動して内側開口86ｉから一部を挿入穴85ｈに突出させて内側開口86ｉに嵌っており、他の挿入穴85ｈより下方にある２本の案内孔86に挿入されたボール81は、有底円筒部材85の径方向外側に移動している（図１９ではボール81を仮想線で示している）。
【０１３６】
３本の案内孔86は周方向に等間隔に形成されているので、有底円筒部材85が任意の回転位置で停止したとき、３本の案内孔86のうち少なくとも１本の案内孔86が挿入穴85ｈより上方にあり、同挿入穴85ｈより上方にある案内孔86に挿入されたボール81は、内側開口86ｉから一部を挿入穴85ｈに突出させて開口縁部86raに嵌っている。
したがって、カウンタ歯車軸12が回転を停止しているときは、少なくとも１個のボール81が一部を挿入穴85ｈに突出させている。
【０１３７】
一方、カウンタ歯車軸12が回転しているときは、カウンタ歯車軸12と一体に回転する有底円筒部材85の３本の案内孔86に挿入されたボール81は、全て遠心力により径方向外側に移動してカウンタ歯車軸12の内周面に接しており、内側開口86ｉから挿入穴85ｈに突出するボール81は存在しない。
【０１３８】
また、有底円筒部材85には、挿入穴85ｈの案内孔86より奥側(左側)に挿入穴85ｈから放射方向に６本の放射通気孔87が周方向等間隔に穿孔され、さらに各放射通気孔87の径方向外側開口端から軸方向右側に軸方向通気溝88が軸方向に指向して穿設されている。
この放射通気孔87と軸方向通気溝88は、有底円筒部材85の挿入穴85ｈにコントロールロッド51の端部が挿入されたとき、挿入穴85ｈの内空間の通気を良くすることで、コントロールロッド51の軸方向の移動を円滑にする。
【０１３９】
この有底円筒部材85の挿入穴85ｈに挿入されるコントロールロッド51の左端部分は、円錐状に尖った先端部51ｅの手前に幅狭の外周凹溝51ｖが形成されている。
ニュートラル位置決め機構80の１速状態を示す図２１およびニュートラル状態を示す図２２を参照して、コントロールロッド51が最も左側の１速位置からその右隣りのニュートラル位置までの間にあるときには、有底円筒部材85の挿入穴85ｈにコントロールロッド51の左端部分が挿入されて、コントロールロッド51の外周凹溝51ｖが案内孔86の内側開口86ｉに臨むように構成されている。
【０１４０】
コントロールロッド51の外周凹溝51ｖの深さは、案内孔86の内側開口86ｉから挿入穴85ｈに突出したボール81が接するか僅かに間隙を存する程度である。
そしてコントロールロッド51の外周凹溝51ｖの左右内側面51vL，51vRはテーパしており、図１９に示すように、外周凹溝51ｖのテーパした左内側面51vLの中心軸Ｚに対する傾斜角度βは、有底円筒部材85の案内孔86の傾斜角度αより若干大きい。
【０１４１】
図２１は、１速で走行状態にあるときのニュートラル位置決め機構80の要部断面図であり、コントロールロッド51が最も左側に移動した１速位置にあってコントロールロッド51の先端部51ｅおよび外周凹溝51ｖが有底円筒部材85の挿入穴85ｈに挿入されて案内孔86の内側開口86ｉが外周凹溝51ｖの右側部分に臨む位置にあり、カウンタ歯車軸12の回転でともに回転する有底円筒部材85の３本の案内孔86にそれぞれ挿入されたボール81（図２１で実線で示す）は、全て遠心力により径方向外側に移動してカウンタ歯車軸12の内周面に接しており、内側開口86ｉから挿入穴85ｈに突出するボール81は存在しない。
【０１４２】
この１速走行状態から２速にシフトアップするときは、コントロールロッド51を最も左側の１速位置から右方にニュートラル位置を経て図２１に仮想線（２点鎖線）で示す２速位置まで移動するが、ボール81は、全て遠心力により径方向外側に移動して内側開口86ｉから挿入穴85ｈに突出していないので、ボール81がコントロールロッド51の外周凹溝51ｖに係止されることがなく、コントロールロッド51は１速位置からニュートラル位置を経て２速位置へ円滑に移動してシフトアップが容易に実行される。
【０１４３】
２速状態では、コントロールロッド51は図２１で仮想線で示す２速位置にあるので、２速から１速にシフトダウンするときもボール81が邪魔することなくコントロールロッド51を左方に円滑に移動することができる。
【０１４４】
なお、２速からさらに高速の変速段へのシフトアップ時は、コントロールロッド51がさらに右方に移動することになり、コントロールロッド51の外周凹溝51ｖはもとより先端部51ｅも有底円筒部材85の挿入穴85ｈから抜け出ているので、シフトダウンを含め、ニュートラル位置決め機構80は影響しない。
【０１４５】
走行を停止するときは、カウンタ歯車軸12の回転が停止したところで、シフトペダルをを通常の変速操作の半分程度かき上げ操作して、コントロールロッド51を１速位置からニュートラル位置に移動するが、コントロールロッド51が１速位置にあってカウンタ歯車軸12が回転停止すると、有底円筒部材85の挿入穴85ｈより上方にある案内孔86に挿入されたボール81は、図２１に仮想線で示すように、自重により径方向内側に移動して内側開口86ｉから一部を挿入穴85ｈに突出してコントロールロッド51の外周凹溝51ｖに進入している。
【０１４６】
図２２に実線で示したボール81は、挿入穴85ｈより上方にある案内孔86を径方向内側に落下移動して右側傾斜面86ｒの内側開口86ｉの開口縁部86raに規制されて停止している。
図２２において、案内孔86の右側傾斜面86ｒに対向する左側傾斜面の径方向内側端縁にボール81が達したときを仮想線で示しているが、この仮想線で示す位置よりも若干下方（径方向内側）に位置して挿入穴85ｈに突出しボール81は停止している。
【０１４７】
この状態で、コントロールロッド51を右方に移動すると、図２２に示すように、コントロールロッド51の外周凹溝51ｖのテーパした左内側面51vLが、ボール81の外周凹溝51ｖに進入した部分に当接してボール81を案内孔86の右側傾斜面86ｒに押しつけ、ボール81が左内側面51vLと案内孔86の右側傾斜面86ｒとの間に挟まれることで、ボール81によりコントロールロッド51が係止されて移動が規制されニュートラル位置に容易かつ確実に位置決めされる。
【０１４８】
コントロールロッド51の外周凹溝51ｖのテーパした左内側面51vLの中心軸Ｚに対する傾斜角度βは、有底円筒部材85の案内孔86の傾斜角度αより若干大きいので、ボール81に当接して案内孔86の右側傾斜面86ｒに押しつける押圧力の方向は右側傾斜面86ｒに略直角であるが、若干ボール81を右側傾斜面86ｒの開口縁部86ra側に傾いていて、径方向内側の開口縁部86raにボール81を押しつけ固定することになるので、ボール81が径方向外側に逃げることはない。
【０１４９】
前記したように、シフト伝達機構100にディテント機構110では、ニュートラルに対応する位置決めの安定保持力が弱く、ニュートラルを飛び越えるおそれがあるが、上記のように、ニュートラル位置決め機構80により、走行を停止し、シフトペダルを通常の変速操作の半分程度かき上げ操作すれば、コントロールロッド51がニュートラル位置で移動が阻止されて確実に位置決めされるので、ニュートラルに入れるシフトペダルの操作を微妙に加減する必要がなく、簡単に、かつ確実にニュートラルに入れることができる。
シフトペダルのかき上げ操作が大き過ぎて、コントロールロッド51がニュートラル位置を過ぎて２速位置まで移動してしまうようなことは完全に防止することができる。
【０１５０】
コントロールロッド51がニュートラル位置にあって車両が停止している状態で内燃機関が始動し走行を開始するときは、図２２に示すように、有底円筒部材85の挿入穴85ｈより上方にある案内孔86に挿入されたボール81がコントロールロッド51の外周凹溝51ｖに進入しているが、シフトペダルの操作でコントロールロッド51を左方に移動して図２１に示す１速位置に移動するので、ボール81はコントロールロッド51の外周凹溝51ｖに進入したままで係止されることがなく、コントロールロッド51をニュートラル位置から１速位置に円滑に移動して変速することができる。
【０１５１】
コントロールロッド51が１速位置に移動して変速した後に、摩擦クラッチ５の接続で走行を開始することができる。
走行を開始して、カウンタ歯車軸12が回転すれば、全てのボール81が遠心力により案内孔86の径方向外側に移動して、図２１に示す１速走行状態となる。
【０１５２】
上記実施の形態では、有底円筒部材85の挿入穴85ｈから放射方向に穿孔される案内孔を３本としたが、４本以上周方向に等間隔に設けて、それぞれにボールを挿入してもよい。
【０１５３】
以上の実施の形態に係るニュートラル位置決め機構80では、カウンタ歯車軸12が回転していないとき、有底円筒部材85の挿入穴85ｈより上方にある案内孔86に挿入されたボール81は、自重により径方向内側に移動して内側開口86ｉから一部を挿入穴85ｈに突出するようにしていたが、図２３に示すように、案内孔86内にボール81の径方向外側にスプリング90を介装するようにしてもよい。
【０１５４】
図２３に示すように、有底円筒部材85の案内孔86の径方向外側の開口を閉塞するようにリテーナ部材91を嵌合し、リテーナ部材91とボール81との間にスプリング90を介装する。
なお、案内孔86は１本でよく、１組のボール81，スプリング90，リテーナ部材91が１本の案内孔86に設けられる。
【０１５５】
スプリング90はボール81を径方向内側に付勢し、ボール81の移動が潤滑油等で円滑でない場合でも、カウンタ歯車軸12が回転していないときは、スプリング90の付勢力によりボール81を径方向内側に位置させて内側開口86ｉから一部を挿入穴85ｈに突出し、コントロールロッド51の外周凹溝51ｖに確実に進入させて、ニュートラル位置決めを確実に実行することができる。
【０１５６】
スプリング90の付勢力は比較的弱く、カウンタ歯車軸12が回転し、ボール81に遠心力が僅かでも作用すると、スプリング90の付勢力に抗してボール81は径方向外側に移動して案内孔86に没してコントロールロッド51の移動に影響しない。
なお、ボール81が案内孔86の内側開口86ｉから少し突出してコントロールロッド51の外周凹溝51ｖに僅かに進入していたとしても、殆ど抵抗なくコントロールロッド51は先端部51ｅがボール81を押しのけて移動することができる。
【０１５７】
また、３速以上で有底円筒部材85の挿入穴85ｈからコントロールロッド51が抜けた状態から２速に変速するときに、有底円筒部材85の挿入穴85ｈにコントロールロッド51の先端部51ｅを挿入することになるが、その際にボール81が案内孔86の内側開口86ｉから突出していたとしても、コントロールロッド51の先端部51ｅのテーパ面51etがボール81を容易に押しのけることができ、円滑に有底円筒部材85の挿入穴85ｈにコントロールロッド51を挿入することができる。
【０１５８】
以上の実施の形態に係るニュートラル位置決め機構では、係止部材としてボール81のような球体としたが、球体でなくてもよく、案内孔86内を径方向に移動でき、内側開口86ｉから突出してコントロールロッド51の外周凹溝51ｖに係止できるものであればよく、例えば、両端が球面をなした円柱体等が考えられる。
【符号の説明】
【０１５９】
ｍ…駆動変速歯車、ｍ１〜ｍ６…第１〜第６駆動変速歯車、
ｎ…被動変速歯車、ｎ１〜ｎ６…第１〜第６被動変速歯車、
10…多段変速機、11…メイン歯車軸、12…カウンタ歯車軸、13…軸受カラー部材、
20…係合手段、23…ピン部材、31…係合凸部、32…出力スプロケット、38…チェーン、
Ｃ…カムロッド、ｐ…係止爪、ｖ…カム溝、Ｒ…揺動爪部材、Ｒｐ…係合爪部、
50…変速駆動手段、51…コントロールロッド、51ｅ…先端部、51ｖ…外周凹溝、51ａ，51ｂ…外周凹部、52，53…ロストモーション機構、55…コントロールロッド操作子、58…シフトピン、67…シフトドラム、67ｖ…シフト案内溝、
80…ニュートラル位置決め機構、81…ボール、85…有底円筒部材、85ｈ…挿入穴、86…案内孔、87…放射通気孔、88…軸方向通気溝、
90…スプリング、91…リテーナ部材、
100…シフト伝達機構、102…シフトスピンドル、103…シフトアーム、107…ラチェット機構、110…ディテント機構、111…花形カム、112…ディテントアーム、121…ギヤポジションセンサ。
【図１】
2013204598.tif 000003
【図２】
2013204598.tif 000004
【図３】
2013204598.tif 000005
【図４】
2013204598.tif 000006
【図５】
2013204598.tif 000007
【図６】
2013204598.tif 000008
【図７】
2013204598.tif 000009
【図８】
2013204598.tif 000010
【図９】
2013204598.tif 000011
【図１０】
2013204598.tif 000012
【図１１】
2013204598.tif 000013
【図１２】
2013204598.tif 000014
【図１３】
2013204598.tif 000015
【図１４】
2013204598.tif 000016
【図１５】
2013204598.tif 000017
【図１６】
2013204598.tif 000018
【図１７】
2013204598.tif 000019
【図１８】
2013204598.tif 000020
【図１９】
2013204598.tif 000021
【図２０】
2013204598.tif 000022
【図２１】
2013204598.tif 000023
【図２２】
2013204598.tif 000024
【図２３】
2013204598.tif 000025